(57)【特許請求の範囲】
【請求項１】
ドア本体に定規縁が取り付けられた玄関ドアにおいて、
前記定規縁は、前記ドア本体のドア面内における自由端側領域に上下方向に沿って固定される取付部と、この取付部に連なって前記ドア本体の外側に形成される隙間を隠蔽可能な隠蔽部とを備えて前記ドア面に略沿って取り付けられ、
前記取付部は、定規縁を前記ドア面に固定する締結手段を受容する受容部を含み、当該受容部には、取付部に沿って延びるとともに締結手段を隠蔽可能な蓋部材が装着され、
前記取付部と蓋部材との接合部分の表出位置及び隠蔽部の表面部に、前記蓋部材の存在を目立たなくする溝部が形成されていることを特徴とする玄関ドア。
【請求項２】
ドア本体に定規縁が取り付けられた玄関ドアにおいて、
前記定規縁は、前記ドア本体のドア面内における自由端側領域に上下方向に沿って固定される取付部と、この取付部に連なって前記ドア本体の外側に形成される隙間を隠蔽可能な隠蔽部とを備えて前記ドア面に略沿って取り付けられ、
前記取付部は、定規縁を前記ドア面に固定する締結手段を受容する受容部を含み、当該受容部には、取付部に沿って延びるとともに締結手段を隠蔽可能な蓋部材を前記ドア本体の上下両端からのみ着脱可能に装着したことを特徴とする玄関ドア。
【発明の詳細な説明】
【０００１】
【発明の属する技術分野】
本発明は玄関ドアに係り、更に詳しくは、簡単に形成可能な定規縁が取り付けられた玄関ドアに関する。
【０００２】
【従来の技術】
従来より、定規縁が自由端側に取り付けられた開きドアが知られている。例えば、図９に示される両開きタイプの玄関ドアには、上下方向すなわち同図中紙面直交方向に延びる定規縁８０が左右両側のドア本体８２，８３にそれぞれ取り付けられている。各定規縁８０は、ドア本体８２，８３の端面８２Ａ，８３Ａにねじ８４で固定される取付部８６と、当該取付部８６に連なって各端面８２Ａ，８３Ａ間に生ずる隙間Ｓを隠蔽する隠蔽部８７とにより構成されている。
【０００３】
【発明が解決しようとする課題】
しかしながら、前記定規縁８０にあっては、取付部８６が前記端面８２Ａ，８３Ａに固定される構造となっているため、定規縁８０を簡単に形成することができないという不都合がある。すなわち、端面８２Ａ，８３Ａには、一対の鍵ケース８９及びその受け部材９０等からなるドアロック部材９２が設けられる他、近時においては、ドアロック部材９２と異なる高さ位置に、各端面９２Ａ，９３Ａ同士を連結する他の防犯対策部材（図示省略）等も設けられている。従って、取付部８６には、ドアロック部材９２や防犯対策部材を避けるための貫通穴若しくは切欠等の空洞部９４を上下方向複数箇所に形成しなければならず、取付部８６を上下方向に略一様な横断面形状にすることができない。また、ねじ８４が各端面８２Ａ，８３Ａにねじ込まれる構造となっているため、ねじ８４の頭部８４Ａを隠蔽する部材（図示省略）を取り付けるには、当該部材を隙間Ｓ内に配置しなければならない。ところが、現状では、当該隙間Ｓの大きさが殆どないため、ねじ８４の隠蔽用の部材を隙間Ｓ内に配置できず、ねじ８４の頭部８４Ａが表出する見栄えの悪い状態のままになるという不都合もある。
【０００４】
【発明の目的】
本発明は、このような不都合に着目して案出されたものであり、その目的は、簡単に形成することができ、且つ、ねじ等の隠蔽構造を自由に設定できる定規縁を備えた玄関ドアを提供することにある。
【０００５】
【課題を解決するための手段】
前記目的を達成するため、本発明は、ドア本体に定規縁が取り付けられた玄関ドアにおいて、
前記定規縁は、前記ドア本体のドア面内における自由端側領域に上下方向に沿って固定される取付部と、この取付部に連なって前記ドア本体の外側に形成される隙間を隠蔽可能な隠蔽部とを備えて前記ドア面に略沿って取り付けられ、
前記取付部は、定規縁を前記ドア面に固定する締結手段を受容する受容部を含み、当該受容部には、取付部に沿って延びるとともに締結手段を隠蔽可能な蓋部材が装着され、
前記取付部と蓋部材との接合部分の表出位置及び隠蔽部の表面部に、前記蓋部材の存在を目立たなくする溝部が形成される、という構成を採っている。このような構成によれば、定規縁がドア面内に固定されるため、ドア本体の端面に部分的に設けられた各種部材を避けるような定規縁の形状にする必要が無くなり、定規縁を上下方向に略一様となる横断面形状にすることができ、定規縁を簡単に形成することができる。また、例えば、ねじを用いて定規縁を固定する場合、ねじの頭部をドア面側に位置させることができ、ドア本体の端面側にねじの隠蔽構造を設ける必要が無くなるため、当該隠蔽構造を自由に設定することができ、取り付け状態で外観上の体裁が良好となる定規縁を簡単に形成することができる。また、締結手段が表出しないため、当該締結手段の経時的な汚損を防止できる他、締結手段の存在が分かりにくくなり、防犯上有利になることが期待できる。更に、締結手段を蓋部材で隠蔽していることが外部から分かりにくい状態にすることができ、締結手段の存在を一層分かりにくくさせ、より高い防犯効果を付与することができる。
【０００６】
また、本発明は、ドア本体に定規縁が取り付けられた玄関ドアにおいて、
前記定規縁は、前記ドア本体のドア面内における自由端側領域に上下方向に沿って固定される取付部と、この取付部に連なって前記ドア本体の外側に形成される隙間を隠蔽可能な隠蔽部とを備えて前記ドア面に略沿って取り付けられ、
前記取付部は、定規縁を前記ドア面に固定する締結手段を受容する受容部を含み、当該受容部には、取付部に沿って延びるとともに締結手段を隠蔽可能な蓋部材を前記ドア本体の上下両端からのみ着脱可能に装着する、という構成も採用される。
【０００８】
なお、本明細書において、「ドア面」とは、ドア本体の表面及び裏面について用い、上下両端面及び左右両端面は含まない。
また、定規縁を構成する各部材或いは各部位の説明において、「上」、「下」、「左」、「右」、「紙面直交」等の位置若しくは方向を示す用語は、特に明示しない限り、図２、図４、図５における位置若しくは方向を基準として用い、「外側」、「外方」とは、同図中下側となる「屋外側」、「屋外方向」を意味する一方、「内側」、「内方」とは、同図中上側となる「屋内側」、「屋内方向」を意味する。
【０００９】
【実施例】
以下、本発明の実施例について図面を参照しながら説明する。
【００１０】
［第１実施例］
図１には、第１実施例に係るドアの概略正面図が示され、図２には、図１のＡ−Ａ線矢視拡大断面図が示されている。また、図３には、前記ドアを図１の下方から見た状態の要部分解斜視図が示されている。これらの図において、ドア１０は、左右両開きタイプの玄関ドアであり、正面視略長方形状のドア枠１１と、このドア枠１１にヒンジ部材１２を介して連結されるとともに、各自由端が相互に略突き合わされる状態で閉塞される一対のドア本体１３，１４と、これらドア本体１３，１４の自由端側領域Ｆに上下方向に沿って設けられるとともに、ドア本体１３，１４の閉塞時に当該ドア本体１３，１４の自由端間に生ずる隙間Ｓ１（図２参照）を隠蔽可能な定規縁１５とを備えて構成されている。なお、本実施例におけるドア１０は、図１中右側のドア本体１３が同図中左側のドア本体１４よりも左右幅の広い親子タイプの玄関ドアであり、同図中正面側が屋外側となっている。
【００１１】
前記定規縁１５は、図１中上下方向に略一様となる横断面形状を備えており、図２に示されるように、幅広のドア本体１３の屋外側（同図中下側）と幅狭のドア本体１４の屋内側（同図中上側）に相互に点対称となる向きで、各ドア面１３Ａ，１４Ａに略沿って取り付けられるようになっている。従って、以下においては、重複した説明を回避するため、図２中下側の定規縁１５について説明する。
【００１２】
この定規縁１５は、締結手段としてのねじ１７によってドア面１３Ａ内における自由端側領域Ｆに固定されるアルミ製の定規縁本体１８と、この定規縁本体１８に装着されてねじ１７の頭部１７Ａを隠蔽する隠しモール１９（蓋部材）と、定規縁本体１８に装着されて反対側のドア本体１４のドア面１４Ａとの間に生ずる隙間Ｓ２を閉塞可能なパッキン２０と、定規縁本体１８の紙面直交方向両端側（ドア本体１３の上下両端側）にそれぞれ被覆されて定規縁本体１８を閉塞可能な樹脂製のキャップ部材２１（図３参照）とを備えて構成されている。
【００１３】
前記定規縁本体１８は、図４及び図５に示されるように、前記自由端側領域Ｆへの固定部位となる右側の取付部２３と、この取付部２３に連なってドア本体１３，１４間の隙間Ｓ１を隠蔽可能な隠蔽部２４とにより構成されている。
【００１４】
取付部２３は、左右方向に延びてねじ１７の頭部１７Ａが着座するねじ着座部２６と、当該ねじ着座部２６の左右両側からドア本体１３側に向かって延びる第１及び第２の内側起立部２７，２８と、これら各内側起立部２７，２８の先端側に連なって相互に向き合う方向に延びるとともに、ドア面１３Ａに接触可能な接触部としての第１及び第２のドア面接触片２９，３０と、左側に位置する第２のドア面接触片３０の左端側に連なるとともに、ドア本体１３の端面１３Ｂに沿って僅かに延びる端面接触片３２と、前記ねじ着座部２６の左右両側から外側に向かって延びる第１及び第２の外側起立部３４，３５と、右側に位置する第１の外側起立部３４の先端から左方に向かって延びる外端部３７とを備えて構成されている。
【００１５】
前記ねじ着座部２６には、ねじ１７の軸部１７Ｂを挿通可能となる挿通穴Ｈが紙面直交方向に沿う複数箇所に形成されており、これらの挿通穴Ｈからねじ１７をドア面１３Ａにねじ込むことができるようになっている。
【００１６】
前記第１及び第２のドア面接触片２９，３０は、それらの先端側が自由端側となるように片持ち支持され、上下方向に弾性変位可能となっている。このため、ねじ１７をドア面１３Ａに向かってねじ込むと、当該ドア面１３Ａに第１及び第２のドア面接触片２９，３０が押圧され、当該第１及び第２のドア面接触片２９，３０は、ドア面１３Ａの外形形状に略対応して当該ドア面１３Ａに接触することになる。また、第１及び第２のドア面接触片２９，３０の各先端間には、ねじ着座部２６、第１及び第２の内側起立部２７，２８、及び第１及び第２のドア面接触片２９，３０で囲まれる空間３８の開放部３８Ａが形成されている。空間３８は、挿通穴Ｈからのねじ１７の通路となり、挿通穴Ｈに挿通されたねじ１７の先端側が開放部３８Ａから出没して自由端側領域Ｆにねじ込み可能となる。
【００１７】
前記第２のドア面接触片３０及び端面接触片３２は、ドア面１３Ａと端面１３Ｂが交わるコーナー領域に係合可能となるように連なっており、定規縁１５をドア本体１３に装着する際に、定規縁１５の左右方向の位置決めが容易に行えるようになっている。なお、端面接触片３２は、端面１３Ｂに取り付けられた鍵ケース等の各種部材３９に干渉しない長さで端面１３Ｂに沿って延びている。
【００１８】
ねじ着座部２６、第１及び第２の外側起立部３４，３５、及び外端部３７で囲まれる部分には、ねじ１７の受容部となる溝状のねじ受容空間４０が形成され、このねじ受容空間４０に隠しモール１９が嵌め込まれるようになっている。ここで、左側に位置する第２の外側起立部３５の途中には段部４１が形成されており、この段部４１及び外端部３７の先端縁３７Ａに隠しモール１９が係合可能とされている。また、ねじ受容空間４０は、その開放幅Ｗ（図５参照）がねじ１７の締め込みと共に調整可能に設けられており、ねじ受容空間４０に嵌め込まれた隠しモール１９を外れにくくすることができる。すなわち、図６に示されるように、ねじ１７をドア面１３Ａに向かってねじ込むと、ねじ着座部２６の中央部がドア面１３Ａに向かって撓むとともに、ねじ着座部２６に連なる第１及び第２の外側起立部３４，３５が相互に接近する方向にそれぞれ傾き、これによって、前記開放幅Ｗが狭まることとなる。従って、開放幅Ｗが隠しモール１９の左右幅よりも僅かに小さくなるように、ねじ１７の締め込み量を調整した後で、第１及び第２の外側起立部３４，３５を強制的に拡開させながら隠しモール１９をねじ受容空間４０に嵌め込むと、第１及び第２の外側起立部３４，３５が相互に接近する方向に弾性復帰し、隠しモール１９がより強固にねじ受容空間４０に装着されることになる。
【００１９】
第２の外側起立部３５及び外端部３７の先端側には、図４に示されるように、隠しモール１９が装着されたときに当該隠しモール１９との間に化粧効果を付与する溝部Ｄ１，Ｄ２を形成可能な切欠３５Ｂ，３７Ｂがそれぞれ形成されている。溝部Ｄ１，Ｄ２は、隠しモール１９が装着されたときに、第２の外側起立部３５及び外端部３７と隠しモール１９との接合部分の外側に位置するとともに、外側に開放した状態で表出するようになっている。
【００２０】
前記隠蔽部２４は、図４及び図５に示されるように、前記第２の外側起立部３５の外側端部から左方に向かってやや湾曲しながら延びる表面部４２と、この表面部４２の途中及び左端側からそれぞれ内側に向かって略真っ直ぐに延びる第３及び第４の外側起立部４４，４５と、第２及び第３の外側起立部３５，４４の内側端部間を連結するとともに、前記隙間Ｓ１に対向するようにドア面１３Ａに略平行に配置される隙間対向部４７と、第４の外側起立部４５の内側端部から隙間対向部４７の端部４７Ａに向かってドア面１４Ａと略平行に延びるドア対向部４９と、このドア対向部４９の先端４９Ａ側から外側に向かって突出する突出部５０とを備えて構成されている。
【００２１】
表面部４２は、外側にやや膨出する湾曲形状をなし、ねじ受容空間４０に隠しモール１９が嵌め込まれたときに、定規縁本体１８全体の外面が略左右対称の円弧状面を構成するようになっており、これによって、隠しモール１９は、その外形が定規縁本体１８の外形に略融合した状態で装着される。また、表面部４２は、第３の外側起立部４４との接合部分付近及び第４の外側起立部４５のやや右側部分が内側に凹んだ形状をなし、そこに、外側が開放する状態で表出する溝部Ｄ３，Ｄ４が形成されることとなる。これら溝部Ｄ３，Ｄ４は、前記溝部Ｄ１，Ｄ２に対し略左右対称となる位置に設けられており、これによって、隠しモール１９の装着状態では、溝部Ｄ３，Ｄ４との相関関係により、前記接合部分の溝部Ｄ１，Ｄ２が単なる化粧効果付与のためだけの溝であると定規縁１５の外部から認識され易くなって前記接合部分が目立たなくなり、隠しモール１９の存在も殆ど目立たなくなる。
【００２２】
表面部４２、第２及び第３の外側起立部３５，４４、及び隙間対向部４７で囲まれる部分には閉塞空間５２が形成される一方、表面部４２、第３及び第４の外側起立部４４，４５、及びドア対向部４９で囲まれる部分には、パッキン２０の一部を保持可能なパッキン装着空間５４が形成されるようになっている。ここで、隙間対向部４７及びドア対向部４９の各端部４７Ａ，４９Ａ間には、パッキン装着空間５４の開放部５４Ａが形成され、当該開放部５４Ａからパッキン装着空間５４内にパッキン２０の一部が嵌め込まれるようになっている。
【００２３】
前記隠しモール１９は、取付部２３に沿って延びるとともに、左右非対称となる断面略Ｕ字状に設けられており、定規縁本体１８第１の外側起立部３４側に配置される第１の脚部５６と、第２の外側起立部３５に接する第２の脚部５７と、これら第１及び第２の脚部５６，５７の各一端側に位置して前記表面部４２に連なる連結部５９とにより構成されている。第１の脚部５６の先端側には、前記外端部３７の先端縁３７Ａに係合可能なフック部５６Ａが形成される一方、第２の脚部５７の先端側には、前記段部４１に係合可能なフック部５７Ａが形成されている。従って、隠しモール１９は、外側起立部３４と第１の脚部５６との間に空間Ａ１を残した状態でねじ受容空間４０に嵌め込み可能となっている。なお、連結部５９の左端側には、隠しモール１９を装着したときに、切欠３５Ｂと共に前記溝部Ｄ２を形成する切欠５９Ｂが形成されている。
【００２４】
前記パッキン２０は、所定のゴム材料等によって形成されており、隙間対向部４７とドア対向部４９間に跨るように配置される渡設片６１と、この渡設片６１の途中に連なるとともに、パッキン装着空間５４に受容される断面略矢印形状の装着部６３と、渡設片６１の左端側から薄肉ヒンジ部６５を介して連なるドア接触片６６とにより構成されている。
【００２５】
装着部６３は、パッキン装着空間５４内における突出部５０及び第４の外側起立部４５間の位置に空間Ａ２を残した状態で、第３の外側起立部４４及び突出部５０間に装着される。また、装着部６３は、その先端側に抜け止め用のフック部６３Ａが形成されており、当該フック部６３Ａは、パッキン装着空間５４からパッキン２０が不用意に引き抜かれようとすると、隙間対向部４７及びドア対向部４９の各端部４７Ａ，４９Ａに引っ掛かるように設けられている。
【００２６】
ドア接触片６６は、薄肉ヒンジ部６５側を基端側として渡設片６１に向かって二枚厚に折り畳み可能であり、左側のドア本体１４を閉塞したときに、渡設片６１と一体的にドア面１４Ａと隠蔽部２４との間の隙間Ｓ２内に略ぴったりと収まるようになっている。
【００２７】
前記キャップ部材２１は、図３及び図７（Ａ），（Ｂ）に示されるように、定規縁本体１８の延出方向端部の外形に略一致する外形を備えたベース片６８と、このベース片６８の図７（Ａ）中左右両側から同図中紙面直交方向に起立するサイド挿入片７０，７１と、これら各サイド挿入片７０，７１の間で起立する断面略Ｕ字状の中央挿入部材７２とにより構成されている。
【００２８】
ベース片６８は、キャップ部材２１が装着された状態でパッキン装着空間５４の一部及びその開放部５４Ａに連なる切欠７４が形成されている。この切欠７４は、パッキン２０の装着部６３よりも大きなサイズとなっており、キャップ部材２１の装着時においても、定規縁本体１８の延出方向両端側からパッキン２０を交換できるようになっている。
【００２９】
図７（Ａ）中右側のサイド挿入片７０は、ねじ受容空間４０における前記空間Ａ１内に挿入されて第１の外側起立部３４に接触可能に設けられる一方、同図中左側のサイド挿入片７１は、パッキン装着空間５４における前記空間Ａ２内に挿入されて第４の外側起立部４５に接触可能に設けられている。また、中央挿入部材７２は、閉塞空間５２内に挿入される。すなわち、キャップ部材２１は、サイド挿入片７０，７２及び中央挿入部材７２が、定規縁本体１８の延出方向両端側（図１中上下両側）からねじ受容空間４０、パッキン装着空間５４及び閉塞空間５２内に挿入されることで定規縁本体１８に装着されることとなる。
【００３０】
次に、ドア本体１３への定規縁１５の取り付け手順について図２等を用いて説明する。
【００３１】
先ず、定規縁本体１８をドア面１３Ａの自由端側領域Ｆに対して位置決めした上で、ねじ１７によって、定規縁本体１８をドア面１３Ａに固定する。その際に、ねじ１７の締め込み具合に応じて開放幅Ｗを調整する。そして、隠しモール１９をねじ受容空間４０に嵌め込む。その後、キャップ部材２１を定規縁本体１８の延出方向両端側に装着する。この際、定規縁本体１８の図１中下端側のキャップ部材２１のみ接着し、同図中上側のキャップ部材２１は接着しない。そして、最後に、パッキン２０をパッキン装着空間５４に嵌め込んで定規縁１５の取り付けが完了する。
【００３２】
従って、このような第１実施例によれば、定規縁１５は、各ドア面１３Ａ，１４Ａ内にねじ１７で固定される構造となっているため、端面１３Ｂ，１４Ｂに設けられる鍵ケース等の各種部材３９を避ける必要がなく、定規縁１５をより簡単に形成できるという効果を得る他、ねじ１７の頭部１７Ａを簡単に隠蔽可能にもなる。
【００３３】
また、キャップ部材２１が装着された状態では、ねじ受容空間４０に嵌め込まれた隠しモール１９の図１中上下両方向への移動が規制されることになる。これによって、隠しモール１９の図１中下方へのずれ落ちを防止できる他、隠しモール１９をより取り外しにくくすることができる。
【００３４】
次に、本発明の第２実施例について説明する。なお、以下の説明において、前記第１実施例と同一若しくは同等の構成部分については同一符号を用いるものとし、説明を省略若しくは簡略にする。
【００３５】
［第２実施例］
この第２実施例は、図８に示されるように、第１実施例に対して形状の相違する取付部７３及び隠しモール７４を採用し、定規縁本体１８の同図中紙面直交方向両端側すなわちドア本体１３の上下両端側からのみ隠しモール７４を脱着可能となる構成を採用したところに特徴を有しており、その他の構成は第１実施例と実質的に同一となっている。
【００３６】
すなわち、取付部７３は、前記第１及び第２の外側起立部３４，３５の途中からねじ着座部２６に略沿ってそれぞれねじ受容空間４０内に延びる第１及び第２の突片７５，７６を備えており、その他の構成は第１実施例に対して略同一になっている。
【００３７】
前記隠しモール７４は、第１の外側起立部３４側に配置される第１の脚部７７と、第２の外側起立部３５側に配置される第２の脚部７８と、これら第１及び第２の脚部７７，７８の各一端側に位置して前記表面部４２に連なる連結部７９とにより構成されている。第１及び第２の脚部７７，７８は、それらの先端側７７Ａ，７８Ａが相互に離反する方向に屈曲する横断面略Ｌ字状をなし、第１の脚部７７の先端側７７Ａは、外端部３７と第１の突片７５の間に配置可能に設けられる一方、第２の脚部７８の先端側７８Ａは、連結部７９の図８中左端側部分との間に第２の突片７６を配置可能に設けられている。従って、このような構造の隠しモール７４においては、ドア本体１３の正面側（図８中下側）からねじ受容空間４０に着脱することができず、ドア本体１３の上下両端側でねじ受容空間４０に挿脱可能となる。なお、隠しモール７４の装着状態では、当該隠しモール７４の内方端側（図８中上端側）とねじ着座部２６との間に形成される空間Ａ１にキャップ部材２１のサイド挿入片７０（図７（Ａ），（Ｂ）等参照）が挿入されることになる。また、連結部７９の左端側には、隠しモール７４を装着したときに、前記切欠３５Ｂと共に溝部Ｄ２を形成する切欠７９Ｂが形成されている。
【００３８】
以上のように構成された第２実施例においても、前記第１実施例と略同一の効果を得る他、隠しモール７４の取り外しに際しては、キャップ部材２１を外した上で、ドア本体１３の上下両端側から隠しモール７４を引き抜かなければならず、隠しモール７４の取り外しを簡単に行うことができなくなり、防犯上有利となる。
【００４０】
なお、前記各実施例では、ドア１０として二枚のドア本体１３，１４からなる両開きタイプの場合について図示説明したが、本発明はこれに限らず、一枚のドア本体からなる片開きタイプについて適用することも可能である。
【００４１】
更に、本発明における装置各部の構成は図示構成例に限定されるものではなく、定規縁１５をドア面１３Ａ，１４Ａ内に固定できる構造を備えている限りにおいて、種々の変更が可能である。
【００４２】
【発明の効果】
以上説明したように、本発明によれば、定規縁の取付部をドア本体のドア面内に固定したから、定規縁を、ドア本体の端面に部分的に設けられた各種部材を避けるような形状にする必要が無くなり、定規縁を簡単に形成することができる他、ねじの隠蔽構造を自由に設定することができる。
【００４４】
更に、定規縁を前記ドア面に固定する締結手段の受容部を備え、当該受容部に前記締結手段を隠蔽可能な蓋部材を装着したから、当該締結手段の経時的な汚損を防止できる他、締結手段の存在が分かりにくくなり、防犯上有利になることが期待できる。
【００４６】
更に、定規縁の外側に蓋部材の存在を目立たなくする溝部を形成したから、締結手段の存在を一層分かりにくくさせることができ、より高い防犯効果を付与することができる。
【図面の簡単な説明】
【図１】第１実施例に係るドアの概略正面図。
【図２】図１のＡ−Ａ線矢視拡大断面図。
【図３】前記ドアを下方から見た状態の要部分解斜視図。
【図４】図２の要部拡大図。
【図５】定規縁の分解断面図。
【図６】定規縁の取り付けについて説明する図４と同様の図。
【図７】（Ａ）は、キャップ部材の拡大平面図であり、（Ｂ）は、キャップ部材の拡大正面図である。
【図８】第２実施例に係るドアの要部拡大断面図。
【図９】従来における両開きドアの突き合せ部分付近の横断面図。
【符号の説明】
１０・・・ドア、１３・・・ドア本体、１４・・・ドア本体、１５・・・定規縁、１７・・・ねじ（締結手段）、１９・・・隠しモール（蓋部材）、２１・・・キャップ部材、２３・・・取付部、２４・・・隠蔽部、２９・・・第１のドア面接触片（接触部）、３０・・・第２のドア面接触片（接触部）、４０・・・ねじ受容空間（受容部）、７３・・・取付部、７４・・・隠しモール（蓋部材）、Ｄ１・・・溝部、Ｄ２・・・溝部、Ｄ３・・・溝部、Ｄ４・・・溝部、Ｆ・・・自由端側領域、Ｓ１・・・隙間、Ｗ・・・開放幅
【図１】
0003603042.tif 000002
【図２】
0003603042.tif 000003
【図３】
0003603042.tif 000004
【図４】
0003603042.tif 000005
【図５】
0003603042.tif 000006
【図６】
0003603042.tif 000007
【図７】
0003603042.tif 000008
【図８】
0003603042.tif 000009
【図９】
0003603042.tif 000010